(57)【要約】      （修正有）【課題】構造が簡単で単純な操作で安全に様々な紙パックを切断できる紙パック切断器を提供する。          【解決手段】四角筒状の枠内に略四角形の切断刃２を設けた切断器１で、枠の内側下端周囲に斜め下方外側に向けて傾斜を付けた誘導枠と、二等辺三角柱４個を１組として対向させ、各面が離間してＸ状の案内溝を構成した受台９を台上に設置した支持台７と、枠の外側上部両側の２箇所に取っ手４を突出させる。    【選択図】図１
0003200867.tif 000002
【実用新案登録請求の範囲】
【請求項１】
紙パックＰを切断するための紙パック切断器１００であって、切断器１と支持台７とを備えており、前記切断器１は四角筒状の枠５の中に切断刃２を設けてあり、前記支持台７は溝が設けられていることを特徴とする紙パック切断器。
【請求項２】
前記支持台７に設けた受台９にＸ状の案内溝８を構成したことを特徴とする請求項１に記載の紙パック切断器。
【請求項３】
前記切断器１には枠５の中に切断刃２が内側に設けられており、前記切断刃２は平面視Ｘ状であり、先端の中央に槍状部が設けられ、先端の正面視における先端部の角度は６０°〜８０°であり、前記誘導枠６の下端より上に位置していることを特徴とする請求項１に記載の紙パック切断器。
【考案の詳細な説明】
【技術分野】
【０００１】
本考案は、飲料用紙パックを切断するための紙パック切断器に関するものである。
【背景技術】
【０００２】
飲料用紙パックを資源ごみとして出す場合、ハサミ等で切り開かなければならず、子供や年配者が切り開くには難しく危険であり、解体に手間がかかる。
【先行技術文献】
【特許文献】
【０００３】
【特許文献１】特開２００９−２４７４５３
【特許文献２】特開平５−２６１６９３
【特許文献３】特開２０１２−１９２１３６
【考案の概要】
【考案が解決しようとする課題】
【０００４】
以上に述べた特許文献１及び特許文献２に開示された装置は、作業手順が多く手間がかかり、大きさの違う紙パックを切断する場合切りにくいという問題点がある。
【０００５】
特許文献３に開示された装置は、紙パックの開口部を下にして支持台に載せ、切断器本体を紙パックに被せ、押し下げることにより紙パックが切断される構造であるが、紙パックの注ぎ口を下にして底部から押し切る構造であり、紙パックの底部は何重にも重ねられていて硬く、紙パックの注ぎ口を下にして切断すると注ぎ口がつぶれる問題点がある。
【０００６】
本考案は、このような従来の構成が有していた問題を解決しようとするものであり、本考案に係る切断器は大きさの違う紙パック、キャップが付いた紙パック等様々な種類の紙パックを単純な操作で、安全で容易に切断でき、子供でも年配者でも安心して使うことができ、構造が簡単で安価に製造できることを目的とするものである。
【課題を解決するための手段】
【０００７】
本考案は、紙パックＰを切断するための紙パック切断器１００であって、切断器１と支持台７とを備えてあり、切断器１は四角筒状の枠５に切断刃２と誘導枠６と取っ手４を設けた切断器１である。
【０００８】
切断器１は枠５の中に切断刃２が収容されてあり、該切断刃２は平面視Ｘ状で、先端が中央に位置するように槍状に形成され、先端の正面視における先端部の角度は６０°〜８０°で、誘導枠６の下端より１cm〜２cm上の位置で枠５に埋設させ、切断刃２の上端部は枠５の上端部より１cm〜２cm下に埋設させている。
【０００９】
誘導枠６は枠５の内側下端の周囲に、下端より１cm〜２cm上から斜め外側下端に向け傾斜を付けている。
【００１０】
支持台７は受台９と台１０とで構成されており、該受台９は二等辺三角柱を対向させて各面が離間してＸ状の案内溝８を１cm〜１．５cmの幅で構成し、台１０に配置したことを特徴としている。
【考案の効果】
【００１１】
本考案に係る紙パック切断器によれば、各種の紙パックが切断可能で、大きさが違う紙パック、キャップのある紙パック等が単純な操作で簡単に切断でき、子供でも年配者でも安心して使うことが可能で、構造も簡単で安価に製造できる。
【００１２】
切断刃の先端は槍状で、正面視における先端部の角度を６０°〜８０°で鋭角にしているので、幾重にも重なった底部でも簡単に切断することができる。
【００１３】
切断刃の先端を誘導枠の下端より１cm〜２cm上に配置し、切断刃の上部は枠の上端より１cm〜２cm下がった位置に配置しているので手が触れることがなく安全である。
【００１４】
枠の内側下端の周囲に、下端より１cm〜２cm上から斜め下方の底部に向け、傾斜を付けた誘導枠を設けているので、支持台がずれた位置にあっても最適な位置に支持台を切断器に導くことができる。
【００１５】
収納時には、切断器の切断刃が支持台の案内溝に収まるので、小さく収納することができる。
【００１６】
本考案によれば、切断器の形状を平面視X状に形成しているので、キャップが付いた紙パックでもキャップ部に触れることなくキャップ部をよけて切断することができ、切断刃が支持台の案内溝を通過するための空間は１cm〜１．５cmの間であれば良い。
また、最初の切断の時、紙パックを支えるサポート枠を設けてもよい。
【図面の簡単な説明】
【００１７】
【図１】紙パックＰを切断するための切断器１と、紙パックＰを載置する支持台７の位置関係を示す全体図である。
【図２】切断器１を下部から見た斜視図で、切断刃２の先端の形状と誘導枠６の形成状況及び取っ手４の形成状態を示す図である。
【図３】切断器１の断面図で、切断刃２を枠５への取り付け状況を示す図である。
【図４】切断刃２の平面視と、平面視における切断刃２aの側面図を示す図である。
【図５】切断器１を紙パックＰの上部に被せて押し下げた図で、紙パックＰの四隅が切断された図である。
【図６】図５で切断した紙パックＰと切断器１を支持台７に載置した図である。
【図７】図６で示した切断器１を下部まで押し下げた図である。
【図８】紙パックＰが４分割にされた図である。
【図９】キャップＫが付いた紙パックＰを切断するための切断器１と、支持台７の位置関係を示す全体図である。
【図１０】切断器１をキャップＫが付いた紙パックＰの上部に被せて押し下げた図で、紙パックＰの四隅が切断された状況を示す。
【図１１】図１０で切断した紙パックＰと切断器１を支持台７に載置した図である。
【図１２】図１１で示した切断器１を支持台７の下部まで押し下げた図で、紙パック            Ｐの側部と底部が切断された図である。
【図１３】キャップＫが付いた紙パックＰが４分割にされた図である。
【考案を実施するための形態】
【００１８】
紙パックＰを切断するために、切断器１と支持台７とから成る紙パック切断器１００であり、切断器１は四角筒状の枠５に切断刃２と誘導枠６と取っ手４を設けている。
切断器１は枠５の中に切断刃２が収容されてあり、該切断刃２は平面視Ｘ状で、先端が中央に位置するように槍状に形成され、先端の正面視における先端部の角度は６０°〜８０°で、誘導枠６の下端より２cm上に位置し、切断刃２の上端部は枠５の上端部より２cm下に位置している。
枠５の内側下端周囲の１cm上から斜め外側下端に向け傾斜を付けた誘導枠６を設けた切断器１である。
支持台７は四つの二等辺三角柱を対向させ、各面が離間してＸ状の案内溝８を構成した受台９を、台１０に配置した支持台７である。
【００１９】
図３は切断器１の構成を示した図で、切断刃２の先端から上端の長さＬ１は７cmで、切断刃２の先端は、枠５の下端より長さＬ２は２cm上の位置で、切断刃２の上端は、枠５の上端からの長さＬ３は２cmで枠５に内設し、刃３の角度は７０°で形成されている。
誘導枠６は枠５の内側下部周囲の１cm上から斜め外側に向けて枠５の下端４分の３まで傾斜を付け、枠５の上部外側に取っ手４を設けている。
【００２０】
図４は切断刃２の平面視Ｘ状に配置された図と、２aの切断刃２の平面図である。
【００２１】
図５は切断器１を紙パックＰに被せて下部まで押し下げることにより、紙パックＰの四隅が切断され、底部は切断されていない。この時点では支持台は使用しない。
【００２２】
図６は図５で示した切断器１と紙パックＰを支持台７に載置した図で、切断器１を１cm〜２cm押し下ると誘導枠６の効果により、支持台７がずれた位置にあっても最適な位置に支持台７を切断器１に誘導される。
【００２３】
図７は図６で示した切断器１をさらに押し下げた図で、紙パックＰの底部が切断されて切断が完了している。
【００２４】
図８は切断刃２がＸ状に形成されているので、紙パックＰの側面の四隅と底部が４分割に切断されている。
【００２５】
図９〜図１３はキャップＫが付いた紙パックＰを切断する過程の説明で、図１〜図８で記載した説明と同じ過程であり、キャップＫを除けて切断することができる。
【符号の説明】
【００２６】
１００ 紙パック切断器
１ 切断器
２ 切断刃
３ 刃
４ 取っ手
５ 枠
６ 誘導枠
７ 支持台
８ 案内溝
９ 受台
１０ 台
Ｐ 紙パック
Ｋ キャップ
【図８】
0003200867.tif 000003
【図１】
0003200867.tif 000004
【図２】
0003200867.tif 000005
【図３】
0003200867.tif 000006
【図４】
0003200867.tif 000007
【図５】
0003200867.tif 000008
【図６】
0003200867.tif 000009
【図７】
0003200867.tif 000010
【図９】
0003200867.tif 000011
【図１０】
0003200867.tif 000012
【図１１】
0003200867.tif 000013
【図１２】
0003200867.tif 000014
【図１３】
0003200867.tif 000015
【手続補正書】
【提出日】平成27年8月24日(2015.8.24)
【手続補正１】
【補正対象書類名】実用新案登録請求の範囲
【補正対象項目名】全文
【補正方法】変更
【補正の内容】
【実用新案登録請求の範囲】
【請求項１】
紙パック（Ｐ）を切断するための紙パック切断器（１００）であって、切断器（１）と支持台（７）とを備えており、前記切断器（１）は四角筒状の枠（５）の中に切断刃（２）を設けてあり、前記支持台（７）は溝が設けられていることを特徴とする紙パック切断器。
【請求項２】
前記支持台（７）に設けた受台（９）にＸ状の案内溝（８）を構成したことを特徴とする請求項１に記載の紙パック切断器。
【請求項３】
前記切断器（１）には枠（５）の中に切断刃（２）が内側に設けられており、前記切断刃（２）は平面視Ｘ状であり、先端の中央に槍状部が設けられ、先端の正面視における先端部の角度は６０°〜８０°であり、誘導枠（６）の下端より上に位置していることを特徴とする請求項１に記載の紙パック切断器。